(57)【要約】【課題】  室内の床の間、玄関先、飾り棚、出窓などに置くことにより、従来にない興趣に富んだ屋内の住空間を創造するようにした。【解決手段】  室内用の装飾具２と、前記装飾具２を直立状に支持する支持台３とを有し、前記装飾具２は、装飾枠本体２２の内部に装飾部２３を、背面に装飾用背景材２４をそれぞれ設けるとともに、外側に延長する支持部２５を設け、前記支持台３は、前記支持部２５を嵌着して装飾具２を直立状に保持する装着部３１を設けてなることを特徴とする。【選択図】  図１
2005280312.tif 000002
【特許請求の範囲】
【請求項１】
室内用の装飾具と、前記装飾具を直立状に支持する支持台とを有し、
前記装飾具は、装飾枠本体の内部に装飾部を、背面に背景材をそれぞれ設けるとともに、外側に延長する支持部を設け、
前記支持台は、前記支持部を嵌着して装飾具を直立状に保持する装着部を設けてなることを特徴とする屋内用装飾装置。
【発明の詳細な説明】
【技術分野】
【０００１】
本発明は、室内の床の間、玄関先、飾り棚、出窓などに置くことにより、従来にない興趣に富んだ屋内の住空間を創造するようにしたことを特徴とする室内用装飾装置に関するものである。
【背景技術】
【０００２】
従来から、屋内用の装飾装置としては、水引にて編み上げられた水引織物若しくは立体的に形成された水引装飾を屏風本体に装着するようにした水引屏風が知られている。 即ち、前記従来の装飾装置は、屏風本体と、該屏風本体の表面に被装される水引織物とを備えている。屏風本体は、例えば太さ１２〜１５ｍｍの板材からなる骨材を榾縛りにより格子状に組み付けた一対の下地枠と、各下地枠の外表面に張着された被装材とで構成されている。
前記被装材は、前記下地枠の表面に和紙で被装された蓑張り層と、その上に反古紙で被装されたべた張り層と、更にその上に被装された袋張り層とで形成されている。水引織物は、複数本の縦水引と横水引で編み上げられた文字、図柄、紋様等を備えた装飾背景材からなるもので、各水引が解れないように表面を接着剤で固着されている。
【特許文献１】特開平１０−１２７４７３号公報
【発明の開示】
【発明が解決しようとする課題】
【０００３】
したがって従来の装飾装置においては、水引にて編み上げられた水引織物若しくは立体的に形成された水引装飾等の被装材を、板材からなる骨材を榾縛りにより格子状に組み付けた一対の下地枠からなる屏風本体の外表面に張着して構成されたものであるから、屏風本体に装着された水引織物若しくは立体的に形成された水引装飾等の被装材に塵埃が付着して汚損するので装飾的価値が低下するし、日焼けにより変色し易く、また、耐久性も悪いため装飾装置の管理が難しいといった問題があり改善が望まれていた。
【課題を解決するための手段】
【０００４】
したがって本発明は、室内用の装飾具と、前記装飾具を直立状に支持する支持台とを有し、前記装飾具は、矩形な装飾枠本体の内部に装飾部を、背面に背景材をそれぞれ設けるとともに、外側に延長する支持部を設け、前記支持台は、前記支持部を嵌着して装飾具を直立状に保持する装着部を設けるようにしたことを特徴とすることにより、構成がきわめて簡単でどこに置いても装飾的価値の高いものを提供するものである。
【発明の効果】
【０００５】
本発明によれば、構造がきわめて簡単であるとともに室内のどの様な場所にでも飾ることができ、またその全体的な形態から和風のイメージを与えるので、洋風の室内では、洋風と和風とがミックスすることにより従来にない興趣に富んだ屋内の住空間を創造することができるし、また和風の室内では和風にマッチしたイメージを高めることができるものである。
【発明を実施するための最良の形態】
【０００６】
本発明は、 室内用の装飾具と、前記装飾具を直立状に支持する支持台とを有し、前記装飾具は、装飾枠本体の内部に装飾部を、背面に背景材をそれぞれ設けるとともに、外側に延長する支持部を設け、また前記支持台には、前記支持部を嵌合して装飾具を直立状に保持する装着部を設けてなることを特徴とするものである。
【実施例１】
【０００７】
以下に本発明の実施例を図面に基づいて説明する。
図１は本発明の全体を示す斜視図、図２は支持台の一部を断面にするとともに装飾具を裏側から見た正面図、図３（ａ）は側面図、（ｂ）は壁に掛けて使用した状態の側面図である。
【０００８】
本発明の屋内用装飾装置１は、装飾具２と、前記装飾具２を直立状に支持する支持台３とを有する。
【０００９】
前記装飾具２は、４本の木質からなる桟材２１を、端部近傍を結合して矩形枠状に組み立ててなる装飾枠本体２２の内部に、装飾部２３を設けるとともに背面に背景用の装飾用の背景材２４を貼設し、また前記矩形な装飾枠本体２２の１つの隅部には、外側に延長する二股状の支持部２５を設けた構成である。
【００１０】
そして、前記装飾枠本体２２の支持部２５を設けていない他の３つの隅部には、前記支持部２５より短尺な二股状の延長片２６を外側に延長するように設けてある。
前記支持部２５および各延長片２６は、前記桟材２１の先端部分を装飾枠本体２２から延長させることにより構成するもので、支持部２５は前記支持台３に嵌着するものであり、また前記延長片２６は装飾具２の飾りとなるもので、支持部２５は１カ所ばかりでなく２カ所または３カ所に設け、延長片２６を２カ所または１カ所にしてもよい。
【００１１】
前記装飾部２３は、図面の実施例では左右の縦片２３１，２３１と、左右の縦片２３１間に設けてある菱形状の装飾材２３２とからなるもので、各縦片２３１および装飾材２３２を装飾枠本体２２と同様に木質により構成する。
【００１２】
前記装飾用背景材２４は、装飾具２の背景を構成するものであるから装飾価値の高いものを使用するもので、薄板材の表面に和紙等の装飾シート材を貼着した板材、表面を模様や着色によって処理した薄い和紙や樹脂シート材などを使用することができるし、和風のイメージを高める色彩や模様等を表示したその他の材質のものも使用することもできる。
【００１３】
したがって、前記装飾具２は、装飾枠本体２２に装飾部２３を設けるとともに装飾用背景材２４を背景として設けることにより和風のイメージを十分に高めることができる。
【００１４】
前記支持台３は、木質からなる横長な断面かまぼこ状素材で、上面には長さ方向に沿って装着部３１を形成してある。
前記装着部３１は、前記支持部２５の前後幅より僅かに狭い幅の溝として構成され、支持部２５を装着部３１に上から強く嵌め付けることにより、装飾具２を支持台３から直立するように支持することができる。また、流通時若しくは不使用時には、装飾具２と支持台３とを外して収納箱に収納することにより、小型で嵩張ることがない。
【００１５】
本発明の屋内用装飾装置は前記した構成であるから、支持台３の装着部３１に装飾具２の支持部２５を上から強く嵌着することにより、装飾部２が支持台３から安定して直立状になっているので、図３（ａ）で示すように室内の床の間、玄関先、飾り棚、出窓などの水平面に置くことによって、装飾具として室内の装飾的価値を著しく高めることができる。そして、不使用時には装飾具２を支持台３から取り外すと、コンパクトになって終うことができるし、流通時にも小型になるので、搬送に有利である。
また、装飾具２の背面上方にフック２７を設けると、図３（ｂ）で示すように壁、その他の縦面に吊り下げることができるので、使用範囲を拡張することができるので、実用的価値の高いものとなる。
【００１６】
以上本発明を図面の実施例に基づいて説明したが、本発明は前記実施例に限定されるものではなく、特許請求の範囲に記載された構成を変更しない限りどのようにでも実施することができる。
例えば、装飾枠本体２２は、４本の桟材を使用した矩形枠ではなくて、三角形、六角形その他の多角形、円形、楕円形枠状であってもよいし、また支持部２５も二股状ばかりでなく板状、三角枠形状、その他の形状で支持台３の装着部３１に嵌着できればどの様な形状であってもよい。しかも、支持部２５を装飾枠本体２２の上下左右に設けると、支持台３に嵌着した状態では装飾部２３を、上下左右どの様な方向にでも設定することができるので、装飾形態を更に興趣に富んだ状態に変化させることができる。
【００１７】
また、装飾部２３も、縦片２３１と装飾材２３２とにより構成されるものに限定されるものではなく、和風をイメージする格子状、木の葉状、家紋状、その他あらゆる形状の装飾態様を使用することができるし、例えば立体的に彫刻をした板材によって装飾部２３を作製し、装飾枠本体２２の内部に接着剤、釘などにより固定してもよい。
【００１８】
更に、支持台３も、横長な板状ではなく、円盤状、角柱状などの形状を使用できるし、装着部３１も装飾部２３の支持部２５を嵌着して装飾具２を直立状に支持できればどの様な形状であってもよいし、前記装着部３１も、前記支持部２５を嵌着可能であればどの様な構成でもよく、例えば支持部２５を固く嵌め込むことがきる左右の凹部であったり、支持部２５が板状であれば浅い溝部であってもよい。
【図面の簡単な説明】
【００１９】
【図１】本発明の装飾具と支持台とを分解した斜視図である。
【図２】支持台の一部を断面にするとともに装飾具を裏側から見た正面図である。
【図３】（ａ）は直立して使用した状態の側面図、（ｂ）は壁に掛けて使用した状態の側面図である。
【符号の説明】
【００２０】
１    室内用装飾装置
２    装飾具
３    支持台
２１    桟材
２２    装飾枠本体
２３    装飾部
２４    装飾用背景材
２５    支持部
２６    延長片
２７    フック
２３１    縦片
２３２    装飾材
３１    装着部
【図１】
2005280312.tif 000003
【図２】
2005280312.tif 000004
【図３】
2005280312.tif 000005